(57)【特許請求の範囲】
【請求項１】
略水平面上を移動するバケット(20)に物品(22)を収容して搬送するバケットコンベヤの物品規制装置であって、
前記バケット(20)は、該バケット(20)が移動する曲線移送部の外側方を指向する側が開放すると共に、物品(22)を収容する複数の区画(30)が移動方向に並列に形成され、
前記バケット(20)の底面に垂下する支柱(32,34)に上下にスライド可能に挿通支持される支持材(36)と、
前記支持材(36)に一体的に上下にスライドするよう配設されると共に、前記バケット(20)に形成された全ての区画に収容された物品(22)の飛び出しを規制する長さ寸法に設定され、支持材(36)と一体的に上下にスライドすることで、バケット(20)の開放部(20a)に臨んで物品(22)の飛び出しを規制する規制状態と、開放部(20a)に臨まない非規制状態とに変化し得る規制部材(46)と、
前記規制部材(46)を常には下方に付勢し、該規制部材(46)を前記非規制状態に保持する弾性部材(40,40)と、
前記バケット(20)の少なくとも曲線移送部に設けられた案内部材(48)と、
前記支持材(36)に設けられ、案内部材(48)に案内されることで前記弾性部材(40,40)の付勢力に抗して該規制部材(46)を押し上げて規制状態に変化させる被案内部材(44)とから構成される
ことを特徴とするバケットコンベヤの物品規制装置。
【請求項２】
前記バケット(20)に対する物品(22)の搬入部(I)と、該搬入部(I)とは異なる位置に設定された搬出部(O)との間の区間に亘って、略前記曲線移送部が設けられている請求項１記載のバケットコンベヤの物品規制装置。
【発明の詳細な説明】
【０００１】
【発明の属する技術分野】
本発明は、バケットコンベヤのバケット内に収容された物品が、該バケットが曲線移送部を移動される際に外に飛び出すのを規制する物品規制装置に関するものである。
【０００２】
【従来の技術】
バケット内に物品を収容して搬送するバケットコンベヤでは、バケットに対する物品の搬入や搬出のために、該バケットの側部は開放されている。この場合に、バケットコンベヤの曲線移送部をバケットが移動される際に、その開放する側部が曲線移送部の外側方を向いていると、収容されている物品が外に飛び出すおそれがある。そこで、曲線移送部を移動されるバケットの外縁の軌跡に沿うよう成形した板材あるいは棒材等のガイドを用いて、バケットからの物品の飛び出しを防止することが行なわれている。
【０００３】
【発明が解決しようとする課題】
前述した板材や棒材等のガイドを用いた場合であっても、ガイドと対向するバケットの内側とガイドとの間に隙間を生じるため、物品が外に飛び出すのを充分に防止することはできない。また、バケットから飛び出した物品がガイドに擦れて損傷するおそれもある。更に、バケットから物品が外に飛び出していると、搬送に支障を来たすため、これを矯正する矯正ガイドを曲線移送部の下流側に設ける必要があり、部品点数が多くなる難点が指摘される。しかも、矯正ガイドを物品に接触させてバケット内に押し戻す構成では、食パン等の軟弱な物品では確実に押し戻すのは困難であり、また矯正ガイドに擦れて物品が損傷し易くなる。
【０００４】
【発明の目的】
この発明は、前述した従来の技術に内在している前記課題に鑑み、これを好適に解決するべく提案されたものであって、曲線移送部を移動されるバケット内に収容された物品が外に飛び出すのを防止し得るバケットコンベヤの物品規制装置を提供することを目的とする。
【０００５】
【課題を解決するための手段】
前述した課題を克服し、所期の目的を好適に達成するため、本発明に係るバケットコンベヤの物品規制装置は、
略水平面上を移動するバケットに物品を収容して搬送するバケットコンベヤの物品規制装置であって、
前記バケットは、該バケットが移動する曲線移送部の外側方を指向する側が開放すると共に、物品を収容する複数の区画が移動方向に並列に形成され、
前記バケットの底面に垂下する支柱に上下にスライド可能に挿通支持される支持材と、
前記支持材に一体的に上下にスライドするよう配設されると共に、前記バケットに形成された全ての区画に収容された物品の飛び出しを規制する長さ寸法に設定され、支持材と一体的に上下にスライドすることで、バケットの開放部に臨んで物品の飛び出しを規制する規制状態と、開放部に臨まない非規制状態とに変化し得る規制部材と、
前記規制部材を常には下方に付勢し、該規制部材を前記非規制状態に保持する弾性部材と、
前記バケットの少なくとも曲線移送部に設けられた案内部材と、
前記支持材に設けられ、案内部材に案内されることで前記弾性部材の付勢力に抗して該規制部材を押し上げて規制状態に変化させる被案内部材とから構成されることを特徴とする。
【０００６】
【発明の実施の形態】
次に、本発明に係るバケットコンベヤの物品規制装置につき、好適な実施例を挙げて、添付図面を参照しながら以下説明する。図１は、実施例に係るバケットコンベヤを示すものであって、該バケットコンベヤ１０は、横長の機枠１２に、その長手方向に所定間隔離間して第１搬送プーリ１４と第２搬送プーリ１６とが夫々水平回転可能に軸支されている。両搬送プーリ１４,１６間には、索体としての無端ベルト１８が巻掛けられており、該ベルト１８に対して所定間隔毎に複数のバケット２０が配設され、図示しない駆動手段により無端ベルト１８を所定方向に移動させることで、該バケット２０が一体的に略水平面上を移動するよう構成してある。なお実施例では、図２に示すように、両搬送プーリ１４,１６間に位置する一方の直線移送部に物品２２の搬入部Ｉが設定されると共に、他方の直線移送部に搬出部Ｏが設定され、搬入部Ｉにおいて物品２２が収容されたバケット２０は、第１搬送プーリ１４の外周に沿う曲線移送部を経て搬出部Ｏまで移動されるようになっている。
【０００７】
前記バケット２０は、図３に示す如く、直線移送部でのベルト移動方向に沿って横長に形成された平板状の基部２４における長手方向の両端(移動方向の前後)に一対の外壁２６,２６が立設され、両外壁２６,２６間では、前記曲線移送部を移動される際に外側方を向く側が開放し、この開放部２０ａから物品２２の搬入および搬出が行なわれるようになっている。また両外壁２６,２６の間の基部２４上に、長手方向に所定間隔で複数の仕切部材２８が配設され、両外壁２６,２６間に物品２２を収容する複数の区画３０が並列に形成されている。
【０００８】
前記基部２４の底面には、開放部２０ａ側に近接する位置に、図３に示す如く、長手方向に所定間隔離間して一対の第１支柱３２,３２が垂設されると共に、両第１支柱３２,３２の内側に、これと並列状態で一対の第２支柱３４,３４が垂設されている。第１支柱３２および第２支柱３４は略同一長さに設定され、４本の支柱３２,３２,３４,３４の下端部が連結材３８に共通的に取付けられる。また、基部２４と連結材３８との間に臨む４本の支柱３２,３２,３４,３４に対し、基部２４の長手方向の寸法と略同一長さに設定された支持材３６が上下にスライド可能に挿通支持されている。更に支持材３６には、バケット２０の開放部２０ａからの物品２２の飛び出しを規制する規制部材４６が、一体的に上下にスライドするよう構成される。この規制部材４６は、前記全ての区画３０に収容された物品２２の飛び出しを規制し得る長さ寸法を有する板状部材であって、後述する作動手段５０によって開放部２０ａの下側部分を閉成するように臨む規制状態(図５(ｂ))と、開放部２０ａに臨まない非規制状態(図５(ａ))とに変化(上下動)し得るよう構成される。なお、基部２４と支持材３６との間に臨む各第２支柱３４に、コイルバネ等の弾性部材４０が夫々弾力的に巻装されており、支持材３６に配設された規制部材４６は、常には一対の弾性部材４０,４０により下方に向けて付勢されて、その上端が基部２４の上面より下方に臨む非規制状態に保持されるようになっている。
【０００９】
前記支持材３６における長手方向中央部には、図５に示すように、開放部２０ａ側から離間する内側に向けて延出する軸体４２が突設されており、この軸体４２の端部に被案内部材としてのボールベアリング等のローラ４４が自由回転可能に軸支されている。また、前記バケット２０が移動する前記曲線移送部の下方に臨む機枠１２に、案内部材としてのレール材４８が配設され、該レール材４８の上面に前記ローラ４４が当接して案内されるよう構成される。すなわち、実施例ではローラ４４とレール材４８とから作動手段５０が構成される。なお、レール材４８は、前述した物品２２の搬入部Ｉと搬出部Ｏとの区間の略全長に亘って延在すると共に、曲線移送部を移動するバケット２０におけるローラ４４の移動軌跡に沿う形状に形成される。また図４に示す如く、レール材４８の始端部と終端部にはスロープ４８ｂ,４８ｃが設けられ、両スロープ４８ｂ,４８ｃ間に設定されるレール最上面４８ａに対するローラ４４の乗り移りや離脱が円滑に行なわれるよう構成される。そして、このレール最上面４８ａの高さレベルは、該上面４８ａにローラ４４が当接案内される際に、前記規制部材４６がバケット２０の下方から開放部２０ａに対する規制位置にスライドして臨むよう設定される。
【００１０】
【実施例の作用】
次に、前述した実施例に係るバケットコンベヤの物品規制装置の作用につき説明する。図２または図４に示す如く、前記搬入部Ｉで物品２２の搬入を待機しているバケット２０では、前記ローラ４４がレール材４８に当接しておらず、前記弾性部材４０,４０の弾力付勢下に規制部材４６は非規制状態に保持されている(図５(ａ)参照)。すなわち、前記バケット２０の開放部２０ａは開放しており、物品２２の各区画３０への搬入を許容する状態となっている。
【００１１】
前記バケット２０の各区画３０に前工程から食パン等の物品２２が搬入されると、駆動手段により前記無端ベルト１８が移動され、搬入部Ｉのバケット２０が搬出部Ｏに向けて略水平面上を移動される。このバケット２０が曲線移送部の始端側に至ると、前記ローラ４４が前記レール材４８の始端側のスロープ４８ｂに当接案内されつつ移動し、前記弾性部材４０,４０の弾力に抗して前記支持材３６と共に規制部材４６が徐々に押し上げられる。そして、このローラ４４がレール材のレール最上面４８ａに至ることで、図５(ｂ)に示すように、規制部材４６は、バケット２０における開放部２０ａの下側部分に対して下方からスライドして規制状態となる。これによって、各区画３０に収容された物品２２は、バケット２０が曲線移送部を移動する際に生ずる遠心力等によって区画３０外に飛び出すのは規制される。
【００１２】
前記規制部材４６はバケット２０と一体的に移動するから、バケット２０の移動に際して物品２２が規制部材４６と摺れることはなく、該物品２２が損傷するおそれはない。また、規制部材４６により物品２２の飛び出しが規制されるから、曲線移送部の下流側において矯正ガイド等を設ける必要はなく、部品点数を低減することができる。
【００１３】
前記曲線移送部の終端部を移動するバケット２０では、前記ローラ４４がレール材４８における終端側のスロープ４８ｃに当接案内されて移動し、前記規制部材４６は前記弾性部材４０,４０の弾力付勢下に下降して非規制状態となる。すなわち、前記バケットコンベヤ１０の搬出部Ｏにおいては、バケット２０の開放部２０ａは開放され、各区画３０からの物品２２の後工程への搬出は許容される。すなわち、搬入部Ｉから搬出部Ｏまでの区間に設定される曲線移送部を移動するバケット２０からの物品２２の飛び出しを規制部材４６により確実に規制し得るから、搬入部Ｉから搬出部Ｏまで物品２２の姿勢を変えることなく搬送することができ、前工程から後工程への物品２２の受け渡しを良好に行ない得る。
【００１４】
【変更例】
バケットの形状は実施例に限定されるものでなく、該バケットが曲線移送部を移動する際に、その外側方を向く側が開放されているものであれば、本願発明を採用し得るものである。更に規制部材は、物品がバケットから飛び出さない寸法・形状であればよく、実施例に示す形状・寸法に限定されるものではない。なお、作動手段を構成する被案内部材は、回転するローラに限らず案内部材に対して摺動する部材であってもよい。
【００１５】
【発明の効果】
以上に説明した如く、本発明の請求項１に係る物品規制装置によれば、曲線移送部を移動されるバケットの開放部に対して規制部材が規制状態となるので、収容されている物品が開放部を介して外に飛び出すのを防止できる。また規制部材に対して物品が擦れて損傷することがなく、例えば食パン等の軟弱な物品を搬送するバケットコンベヤに極めて有効である。
【００１６】
更に、曲線移送部に設けられた案内部材によって規制部材を規制状態に変化させるよう構成したから、バケットの構成を簡略化することができる。また、規制部材をスライドするよう構成したので、バケットの開放部に対する規制部材の変化領域を最小限とすることができて、バケットコンベヤがコンパクトになる。更にまた、複数の区画に対して１つの規制部材で物品の飛び出しを規制し得るから、部品点数を低減することができる。
【００１７】
請求項２に係る物品規制装置では、物品の搬入部から搬出部まで物品が良好に搬送されるから、前工程から後工程への物品の受け渡しを良好になし得る。
【図面の簡単な説明】
【図１】本発明の好適な実施例に係る物品規制装置が配設されたバケットコンベヤを示す概略正面図である。
【図２】実施例に係るバケットコンベヤを示す概略平面図である。
【図３】実施例に係るバケットを示す背面図である。
【図４】実施例に係るバケットコンベヤを示す概略側面図である。
【図５】実施例に係る物品規制装置の動作説明図である。
【符号の説明】
２０  バケット
２０ａ  開放部
２２  物品
３０  区画
３２  第１支柱
３４  第２支柱
３６  支持材
４０  弾性部材
４４  ローラ(被案内部材)
４６  規制部材
４８  レール材(案内部材)
Ｉ  搬入部
Ｏ  搬出部
【図１】
0003640018.tif 000002
【図２】
0003640018.tif 000003
【図３】
0003640018.tif 000004
【図４】
0003640018.tif 000005
【図５】
0003640018.tif 000006